(57)【特許請求の範囲】
【請求項１】
線路を介して負荷に所望電源を生成出力し、前記線路間に過電圧がかかったときに電源供給を遮断する過電圧保護回路を有する電源装置の後段に配設され、前記負荷が接続される出力側から過電圧がかかったときに前記過電圧保護回路よりも先に動作して前記電源装置との間を切離して電源供給を遮断することを特徴とする電源保護回路。
【請求項２】
線路を介して負荷に所望電源を生成出力する複数の出力端子が設けられ、前記線路間に過電圧がかかったときに前記複数の出力端子からの電源供給を遮断する過電圧保護回路を有する電源装置の前記複数の出力端子のいずれかに配設され、当該配設された出力端子に過電圧がかかったときに前記過電圧保護回路よりも先に動作して前記電源装置との間を切離して前記出力端子への電源供給を遮断することを特徴とする電源保護回路。
【請求項３】
前記電源装置と接続される線路間の電圧を検出する電圧検出手段と、前記線路間を短絡するための短絡手段と、該短絡手段の出力側に設けられた切断手段とを有し、
前記電圧検出手段が所定電圧を検出したときに、前記短絡手段により前記切断手段を動作させて前記線路間を短絡させ、前記電源装置との間を切離して電源供給を遮断することを特徴とする請求項１又は２記載の電源保護回路。
【請求項４】
前記短絡手段は前記線路間に接続されるサイリスタを含み、前記電圧検出手段の前段の線路にはヒューズが配設されており、
前記電圧検出手段は前記線路間の電圧が所定電圧以上になったときに前記サイリスタのゲートに電圧を印加して該サイリスタをターンオンさせて前記線路間を短絡させ、該線路間の短絡による前記ヒューズの溶断で前記サイリスタをターンオフさせることを特徴とする請求項３記載の電源保護回路。
【請求項５】
前記線路は並列接続された複数の分岐線路から形成されており、
前記電圧検出手段は、前記複数の分岐線路が並列接続される前段に配設されるとともに、並列接続された各分岐線路に切断手段が夫々配設されることを特徴とする請求項１〜４のいずれかに記載の電源保護回路。
【請求項６】
前記切断手段がヒューズからなることを特徴とする請求項３又は５記載の電源保護回路。
【発明の詳細な説明】
【０００１】
【発明の属する技術分野】
本発明は、例えば銀行等の各店舗のＣＤ(cash dispenser)やＡＴＭ(automatic teller machine)等の端末を無人管理する無人管理システムにおいて、人体検  知器、空調、照明、自動ドア、シャッター等の各種設備への電源供給を一括管理する集中管理ユニットに内蔵され、負荷（各種設備）が接続される出力側から誤って入力される過電圧から電源装置及び負荷を保護する電源保護回路に関するものである。
【０００２】
【従来の技術】
一般的に知られている従来の電源装置は、商用電源ＡＣ１００Ｖなどの入力をＤＣ２４Ｖ、ＤＣ１２Ｖ、ＤＣ５Ｖなどの適当な電圧に変圧し、この変圧された電圧を電源供給路を介して負荷に供給している。また、電源装置には、入力端子から過電圧が印加されたり、内部の回路が故障すると、電源装置や電源装置に接続される負荷が故障してしまう。これを防ぐため、一般的な電源装置は、過電圧を検出したときに、負荷への電源供給を遮断する過電圧保護回路を内蔵している。
【０００３】
図５はこの種の過電圧保護回路を内蔵した電源装置の具体的回路構成の一例を示している。図５に示す過電圧保護回路３ａは、一方の線路２１に配設されるヒューズＰ２、スイッチング手段としてのＮＰＮ形トランジスタＱ2 、抵抗Ｒ5 ，Ｒ6 ，Ｒ7 、コンデンサＣ3 から構成される。トランジスタＱ2 は、ベースが抵抗Ｒ5 を介してヒューズＰ２の一端に接続されるとともに、抵抗Ｒ6 とコンデンサＣ3 からなる並列回路２３を介して接地され、コレクタが抵抗Ｒ7 を介してヒューズＰ２の他端に接続され、エミッタが接地されている。
【０００４】
上記構成の過電圧保護回路３ａでは、トランジスタＱ2 のベース入力が０Ｖの状態では動作しないが、例えばＡＣ１００Ｖ入力のところを誤ってＡＣ２００Ｖが入力されると、電源装置及び負荷に過電圧が印加される。過電圧がかかってベースに電流が流れると、トランジスタＱ2 がオンして線路２１，２２間がショートし、ヒューズＰ２に電流が流れてヒューズＰ２が溶断される。これにより、電源装置と負荷との間が完全に切離される。
【０００５】
ところで、銀行等の各店舗では、ＣＤやＡＴＭ等の端末を開店から閉店まで自動運行する無人管理システムを採用している。この無人管理システムでは、ＣＤやＡＴＭ等の端末が外部の中央管理センターとの間で集中管理コントローラを介して回線接続されており、予め設定したスケジュールに合わせた制御が行われるようになっている。
【０００６】
また、集中管理コントローラは、複数の出力端子を装備した端子台を有する電源装置を内蔵しており、各出力端子に例えば人体検知器、空調、照明、自動ドア、シャッター等の設備を配線接続し、各種設備への電源供給の一括管理を行っている。
【０００７】
【発明が解決しようとする課題】
しかしながら、図５に示すような電源装置３を上記集中管理コントローラに内蔵させた場合、図５に示す電源装置３は複数の電源を供給するために複数の出力端子５（５Ａ，５Ｂ，５Ｃ）を備えているので、誤って何れかの出力端子、例えば出力端子５Ａに外部電圧源１３を接続し、その出力端子５Ａから過電圧が印加されると、電源装置３に内蔵された過電圧保護回路３ａが動作し、電源装置３から供給している全ての出力端子５Ａ，５Ｂ，５Ｃへの電源供給が停止する。
【０００８】
すなわち、一つの出力端子５に負荷８を接続すべきところ、システムに不慣れなユーザーが誤って別電源（外部電圧源１３）を接続すると、その別電源の電圧が実際に出力端子から負荷に供給される電源電圧より高い場合には過電圧状態が生じる。そして、この過電圧状態が生じると、この過電圧を電源装置３に内蔵された過電圧保護回路３ａが検出し、全ての出力端子５Ａ，５Ｂ，５Ｃに対する電源供給を停止することになる。
【０００９】
ところが、実際に障害が起きている出力端子の電源供給路は、一つだけであるにもかかわらず、他の出力端子の電源供給路への電源供給までも停止するという課題があった。この問題は、従来の電源装置において、出力端子から過電圧が印加されることを想定していなかったことに起因している。
【００１０】
また、従来の電源装置では、どの出力端子の電源供給路に過電圧が印加されたのか不明であり、障害の原因を特定するのに時間がかかるという課題もある。
【００１１】
そこで、本発明は、上記課題を解消するためになされたものであって、負荷が接続される出力側から誤って過電圧が印加されても電源装置及び負荷を保護することができ、さらには過電圧が印加された箇所を容易に特定することができる電源保護回路を提供することを目的としている。
【００１２】
【課題を解決するための手段】
上記目的を達成するため、請求項１の発明に係る電源保護回路は、線路を介して負荷に所望電源を生成出力し、前記線路間に過電圧がかかったときに電源供給を遮断する過電圧保護回路を有する電源装置の後段に配設され、前記負荷が接続される出力側から過電圧がかかったときに前記過電圧保護回路よりも先に動作して前記電源装置との間を切離して電源供給を遮断することを特徴とする。
【００１３】
請求項２の発明に係る電源保護回路は、線路を介して負荷に所望電源を生成出力する複数の出力端子が設けられ、前記線路間に過電圧がかかったときに前記複数の出力端子からの電源供給を遮断する過電圧保護回路を有する電源装置の前記複数の出力端子のいずれかに配設され、当該配設された出力端子に過電圧がかかったときに前記過電圧保護回路よりも先に動作して前記電源装置との間を切離して前記出力端子への電源供給を遮断することを特徴とする。
【００１４】
請求項３の発明は、請求項１又は２の電源保護回路において、
前記電源装置と接続される線路間の電圧を検出する電圧検出手段と、前記線路間を短絡するための短絡手段と、該短絡手段の出力側に設けられた切断手段とを有し、
前記電圧検出手段が所定電圧を検出したときに、前記短絡手段により前記切断手段を動作させて前記線路間を短絡させ、前記電源装置との間を切離して電源供給を遮断することを特徴とする。
【００１５】
請求項４の発明は、請求項３の電源保護回路において、
前記短絡手段は前記線路間に接続されるサイリスタを含み、前記電圧検出手段の前段の線路にはヒューズが配設されており、
前記電圧検出手段は前記線路間の電圧が所定電圧以上になったときに前記サイリスタのゲートに電圧を印加して該サイリスタをターンオンさせて前記線路間を短絡させ、該線路間の短絡による前記ヒューズの溶断で前記サイリスタをターンオフさせることを特徴とする。
【００１６】
請求項５の発明は、請求項１〜４のいずれかの電源保護回路において、
前記線路は並列接続された複数の分岐線路から形成されており、
前記電圧検出手段は、前記複数の分岐線路が並列接続される前段に配設されるとともに、並列接続された各分岐線路に切断手段が夫々配設されることを特徴とする。
【００１７】
請求項６の発明は、請求項３又は５の電源保護回路において、
前記切断手段がヒューズからなることを特徴とする。
【００１８】
【発明の実施の形態】
図１は本発明による電源保護回路を含む電源保護システムの基本構成を示す図である。
【００１９】
本発明による電源保護システムは、例えば銀行等の各店舗のＣＤやＡＴＭ等の端末を無人管理する無人管理システムにおいて、端末及び各種設備の制御並びに電源供給を一括管理する集中管理コントローラ２に電源保護回路１（１Ａ）と電源装置３とが内蔵されたものである。
【００２０】
集中管理コントローラ２は、例えば人体検知器、空調、照明、自動ドア、シャッター等の各種設備への電源供給の一括管理を行うともに、例えば閉店後の不法な侵入者の出入りを人体検知器が検知した際に外部の中央管理センターに対して警報信号を出力している。
【００２１】
なお、これらの構成は、本技術分野において一般的に知られており、本発明との関連性が低いので詳細な説明及び図面の記載を省略している。
【００２２】
電源装置３は、電源供給対象となる負荷に応じて、単一の電源を所望電圧に変圧して複数の電源を生成出力している。この電源装置としては、例えば図５に示すような過電圧保護回路３ａを内蔵した電源装置３を採用することができる。図５に示す電源装置３は、入力端子４に商用電源ＡＣ１００Ｖが入力されると、このＡＣ１００ＶをダイオードブリッジＤ１，Ｄ２，Ｄ３，Ｄ４からなる整流回路により整流し、この整流された電圧をＤＣ２４Ｖ（＝ＶC ）、ＤＣ５Ｖ（＝ＶD ）に変圧している。そして、３組の出力端子５（５Ａ，５Ｂ，５Ｃ）の上から順にＤＣ２４Ｖ、ＤＣ５Ｖ、ＤＣ２４Ｖを出力している。
【００２３】
過電圧保護回路３ａは、一方の線路２１に配設されるヒューズＰ２、スイッチング手段としてのＮＰＮ形トランジスタＱ2 、抵抗Ｒ5 ，Ｒ6 ，Ｒ7 、コンデンサＣ3 から構成される。トランジスタＱ2 は、ベースが抵抗Ｒ5 を介してヒューズＰ２の一端に接続されるとともに、抵抗Ｒ6 とコンデンサＣ3 からなる並列回路２３を介して接地され、コレクタが抵抗Ｒ7 を介してヒューズＰ２の他端に接続され、エミッタが接地されている。
【００２４】
上記過電圧保護回路３ａでは、トランジスタＱ2 のベース入力が０Ｖの状態では動作しないが、例えばＡＣ１００Ｖ入力のところを誤ってＡＣ２００Ｖが入力されると、電源装置及び負荷に過電圧が印加される。過電圧がかかってベースに電流が流れると、トランジスタＱ2 がオンして線路２１，２２間がショートし、ヒューズＰ2 に電流が流れてヒューズＰ２が溶断される。これにより、電源装置と負荷との間が完全に切離される。
【００２５】
また、電源装置３は、ダイオードブリッジＤ１，Ｄ２，Ｄ３，Ｄ４からなる整流回路の直後の線路２１にヒューズＰ1 が配設されている。このヒューズＰ1 は、入力端子４から所定電圧以上の過大電圧が入力されると、ＮＰＮ形トランジスタＱ1 のベースに電流が流れてトランジスタＱ1 がオンし、これにより線路２１，２２間がショートして電流が流れることで溶断されるようになっている。
【００２６】
電源保護回路１（１Ａ）は、外部に露出する不図示の端子台に入力端子６と出力端子７が設けられ、入力端子６に電源装置３の出力端子５（例えば図５の出力端子５Ａ）が接続され、出力端子６に電源供給対象となる負荷８（例えば人体検知器、空調、照明、自動ドア、シャッター等の各種設備）が不図示の電源線を介して配線接続されるようになっている。
【００２７】
電源保護回路１は、過電圧検出回路９と短絡回路１０を備えている。過電圧検出回路９は、線路１１，１２間に設けられており、線路１１，１２間の電圧を常時監視している。この過電圧検出回路９は、検出した電圧が所定の電圧値以上であるときに、過電圧の旨の信号を出力している。短絡回路１０は、過電圧検出回路９の後段の線路１１，１２間に設けられており、過電圧検出回路９から過電圧の旨の信号が入力されたときに線路１１、１２間を短絡している。
【００２８】
短絡回路１０と出力端子７との間の一方の線路１１には、線路１１を切離するための第二の切断手段が配設されている。本例における第二の切断手段はヒューズＦ２で構成される。このヒューズＦ２は、過電圧検出回路９が過電圧を検出して短絡回路１０が動作し、線路１１，１２間がショートしたときに流れる電流によって溶断されるものである。
【００２９】
上記のように構成される電源保護回路１において、出力端子７に電源供給対象となる負荷８が接続された状態では、過電圧検出回路９からは過電圧の旨の信号が出力されないので、短絡回路１０は動作せず、電源装置３から入力端子６より入力される電源が出力端子７から出力され負荷８に供給される。
【００３０】
これに対し、今、電源装置３から電源保護回路１の入力端子６に例えば２４Ｖの電圧が入力している状態で、この電圧２４Ｖよりも高い電圧、例えば１００Ｖの外部電圧源１３がシステムに不慣れなユーザーによって電源保護回路１の出力端子７に誤接続されると、短絡回路１０と線路１１との接続点ａの電位が上昇して過電圧となる。そして、この過電圧を過電圧検出回路９が検出し、短絡回路１０に過電圧の旨の信号が入力されると、短絡回路１０が動作して線路１１，１２間がショートし、線路１１に設けられたヒューズＦ２が溶断される。これにより、電源装置３と出力端子７との間が切離され、出力端子７から外部への電源供給が断たれる。
【００３１】
次に、図２は本発明による電源保護システムの具体的回路構成を示す図である。なお、図１と同一の構成要素には同一番号を付して説明する。
【００３２】
図２に示す構成においては、電源装置３の３組の出力端子５Ａ，５Ｂ，５Ｃのうち２組の出力端子５Ａ，５Ｃに本例の電源保護回路１が接続されており、残りの出力端子５Ｂから出力される電圧ＶD は集中管理コントローラ２内のＣＰＵや周辺回路等のロジック電源として直接用いられる。
【００３３】
なお、上記出力端子５Ｂに本例の電源保護回路１を接続することも可能である。また、電源装置３としては、図５に示す構成以外のものであってもよい。例えば図５に示す構成では、過電圧がかかったときにヒューズを溶断して電源供給を停止しているが、線路間に印加される電圧を絞り込んで電源供給を停止するようにしてもよい。さらに、電源装置３の出力端子５の数も３組に限定されるものではない。
【００３４】
図２に示す構成では、入力端子６と過電圧検出回路９との間の一方の線路１１に第一の切断手段としてのヒューズＦ１が配設されている。
【００３５】
図２における過電圧検出回路９は、定電圧ダイオードＺＤ3 、２つの抵抗ＲX ，ＲY 、コンデンサＣY を備えて構成される。定電圧ダイオードＺＤ3 は、カソードがヒューズＦ１に接続され、アノードが抵抗ＲX の一端に直列接続される。抵抗ＲX の他端には、抵抗ＲY とコンデンサＣY による並列回路１４の一端に接続されており、並列回路１４の他端は線路１２に接続され接地されている。
【００３６】
図２における短絡回路１０は、抵抗ＲS とサイリスタＱ3 を備えて構成される。抵抗ＲS は、一端が線路１１に接続され、他端がサイリスタＱ3 のアノードに接続されている。サイリスタＱ3 は、カソードが線路１２を介して接地されており、ゲートが抵抗ＲX と並列回路１４との間に接続される。
【００３７】
図２に示す構成において、出力端子７に電源供給対象となる負荷８が接続された状態では、サイリスタＱ3 のゲート電圧が０Ｖであるため、サイリスタＱ3 はターンオンせず、電源装置３から入力端子６より入力される電源がそのまま出力端子７から出力されて負荷８に供給される。
【００３８】
これに対し、今、電源装置３から電源保護回路１の入力端子６に例えば２４Ｖの電圧が入力している状態で、この電圧２４Ｖよりも高い電圧、例えば１００Ｖの外部電圧源１３が電源保護回路１の出力端子７に誤接続されると、短絡回路１０と線路１１との接続点ａの電位ＶS が上昇する。そして、接続点ａの電位が上昇すると、サイリスタＱ3 のゲートに電圧が印加されてサイリスタＱ3 がターンオンする。サイリスタＱ3 がターンオンして線路１１，１２間が短絡されると、入力端子６からサイリスタＱ3 のアノードに向かって電流ｉ1 が流れ、ヒューズＦ１が溶断される。また同時に、出力端子７からサイリスタＱ3 のアノードに向かって電流ｉ2 が流れ、ヒューズＦ２が溶断される。そして、ヒューズＦ１，Ｆ２が溶断されると、完全に電源装置３と外部電圧源１３との間が切離される。
【００３９】
ところで、上記回路構成では、過電圧により一旦サイリスタＱ3 がターンオンして線路１１，１２間が短絡されると、ゲート電圧が０Ｖになるまでその状態が保持される。このため、入力端子６と定電圧ダイオードＺＤ3 のカソードとの間の線路１１にヒューズＦ１を配設し、過電圧が印加されたときにヒューズＦ１を溶断している。これにより、サイリスタＱ3 のゲート電圧が０Ｖとなり、サイリスタＱ3 がターンオフして復帰する。
【００４０】
また、上記回路構成による電源保護回路１では、時定数（ＲY ，ＣY ）、ヒューズＦ１の定格、抵抗ＲX ，ＲY の分圧比、サイリスタの動作速度を適宜設定することにより、電源装置３に内蔵された過電圧保護回路３ａよりも先に動作するようになっている。具体的には、コンデンサＣY の容量を過電圧保護回路３ａのコンデンサＣ3 の容量よりも小さく設定して電圧値の変化を速くしたり、ヒューズＦ１を電源装置３内のヒューズＰ１，Ｐ２より溶断されやすいものを選択する。
【００４１】
次に、図３は本発明による電源保護回路の他の実施の形態を示す回路構成図、図４は図３の構成におけるタイミングチャート図である。なお、図２と同一の構成要素には同一番号を付して説明する。
【００４２】
図３の電源保護回路１Ｂ（１）は、図２の電源保護回路１Ａが１組の出力端子７を備えていたのに対し、３組の出力端子７Ａ，７Ｂ，７Ｃを備えている。このため、線路１１は短絡回路１０の後段で分岐されて３本の分岐線路１１Ａ，１１Ｂ，１１Ｃを形成しており、各分岐線路１１Ａ，１１Ｂ，１１Ｃは第二の切断手段としてのヒューズＦ２，Ｆ３，Ｆ４を介して出力端子７Ａ，７Ｂ，７Ｃの一方に接続され、他方の端子が接地された線路１２に共通接続されている。その他の構成については図２と同一構成である。
【００４３】
図３に示す構成において、出力端子７Ａに何も接続せず、出力端子７Ｂに負荷Ｚ１を接続し、出力端子７Ｃに負荷Ｚ２を接続した状態では、サイリスタＱ3 のゲート電圧が０Ｖである。このため、サイリスタＱ3 はターンオンせず、電源装置３から入力端子６より入力される電源ＶC が出力端子７Ｂ，７Ｃから出力されて負荷Ｚ１，Ｚ２に供給される。
【００４４】
これに対し、今、電源装置３から電源保護回路１Ｂの入力端子６に電圧ＶC が入力している状態で、この電圧ＶC よりも高い電圧Ｅ0 の外部電圧源１３が出力端子７Ａに誤接続されると、短絡回路１０と線路１１との接続点ａの電位ＶS が上昇する。そして、接続点ａの電位が上昇すると、サイリスタＱ3 のゲートに電圧が印加されてサイリスタＱ3 がターンオンする。サイリスタＱ3 がターンオンして線路１１，１２間が短絡されると、入力端子６からサイリスタＱ3 のアノードに向かって電流ｉ1 が流れ、ヒューズＦ１が溶断される。また同時に、出力端子７ＡからサイリスタＱ3 のアノードに向かって電流ｉ2 が流れ、ヒューズＦ２が溶断される。そして、ヒューズＦ１，Ｆ２が溶断されると、完全に電源装置３と出力との間が切離される。その際、過電圧の印加された位置は、どのヒューズが溶断されたかによって特定することができる。上記説明では、ヒューズＦ２が溶断されるので、出力端子７Ａから過電圧が印加されたと特定することができる。
【００４５】
このように、本例の電源保護回路１（１Ａ，１Ｂ）を、例えば銀行のＣＤ(cash dispenser)等を各店舗毎に無人管理する無人管理システムにおいて、空調、照明、自動ドア、シャッター等の各種設備への電源供給を一括管理するべく、電源供給用の複数の出力端子を備えた集中管理コントローラに採用すれば、本来、負荷（各種設備）が接続される出力端子に誤って外部電圧源を接続して出力端子側から過電圧が入力されても、この過電圧から電源装置及び負荷を保護することができる。
【００４６】
すなわち、出力端子に過電圧が印加されると、電源装置３に内蔵された過電圧保護回路３ａよりも速く電源保護回路１が動作し、電源装置３から負荷８を電気的に切離すので、過電圧印加から電源装置３及び負荷８を保護することができる。しかも、電源装置３の過電圧保護回路３ａと合わせて入出力の両方から電源装置３及び負荷８を保護することができる。また、電源保護回路１を既存の電源装置に付加するだけで過電圧から電源装置及び負荷を保護することができる。
【００４７】
特に、図５に示すように、電源装置３が複数の出力端子５Ａ，５Ｂ，５Ｃを有する場合、過電圧が印加された出力端子に対してのみ電源供給が停止されるので、他の出力端子への電源供給が維持され、接続されている負荷へのリスク影響が少ないという利点がある。
【００４８】
更に、図３に示すように、電源保護回路１の線路１１に複数の出力端子７Ａ，７Ｂ，７Ｃが並列接続された構成の場合、それぞれの出力端子７Ａ，７Ｂ，７Ｃと短絡回路１０との間にヒューズＦ２，Ｆ３，Ｆ４が配設されるので、過電圧の印加された出力端子を容易に特定することができる。
【００４９】
ところで、図２及び図３に示す構成では、短絡回路１０に強度な耐圧性を有するサイリスタＱ3 を用いているが、十分な耐圧性を有していれば、トランジスタを用いることも可能である。この場合には、サイリスタＱ3 を復帰させるために線路１１に設けられるヒューズＦ１を省略することができる。
【００５０】
また、本例における電源保護回路１では、切断手段としてヒューズＦ１〜Ｆ４を用いた構成について説明したが、線路１１，１２間に過電圧がかかったときに線路を切離すように動作する構成であればヒューズのみに限定されるものではない。
【００５１】
【発明の効果】
以上説明したように本発明の電源保護回路によれば、出力端子に過電圧が印加されると、電源装置に内蔵された過電圧保護回路よりも速く電源保護回路が動作し、電源装置から負荷を電気的に切離すので、本来、負荷（各種設備）が接続される出力端子に誤って外部電圧源を接続して出力端子側から過電圧が入力されても、この過電圧から電源装置及び負荷を保護することができる。しかも、電源装置の過電圧保護回路と合わせて入出力の両方から電源装置及び負荷を保護することができる。また、電源保護回路を既存の電源装置に付加するだけで過電圧から電源装置及び負荷を保護することができる。
【００５２】
特に、電源装置が複数の出力端子を有する場合、過電圧が印加された出力端子に対してのみ電源供給が停止されるので、他の出力端子への電源供給が維持され、接続されている負荷へのリスク影響を少なくできる。
【００５３】
更に、電源保護回路の線路に複数の出力端子を並列接続し、それぞれの出力端子と短絡回路との間にヒューズを配設した構成とすれば、過電圧の印加された出力端子を容易に特定することができる。
【図面の簡単な説明】
【図１】本発明による電源保護回路を含む電源保護システムの基本構成を示す図
【図２】本発明による電源保護システムの具体的回路構成を示す図
【図３】本発明による電源保護回路の他の実施の形態を示す回路構成図
【図４】図３の構成におけるタイミングチャート図
【図５】過電圧保護回路を内蔵した電源装置の具体的回路構成の一例を示す図
【符号の説明】
１…電源保護回路、２…集中管理コントローラ、３…電源装置、３ａ…過電圧保護回路、４…入力端子、５（５Ａ，５Ｂ，５Ｃ）…出力端子、６…入力端子、７（７Ａ，７Ｂ，７Ｃ）…出力端子、８…負荷、９…過電圧検出回路（電圧検出手段）、１０…短絡回路（短絡手段）、１１，１２…線路、１１Ａ，１１Ｂ，１１Ｃ…分岐線路、１３…外部電圧源、Ｆ１…第一の切断手段（ヒューズ）、Ｆ２，Ｆ３，Ｆ４…第二の切断手段（ヒューズ）。
【図１】
0004049961.tif 000002
【図２】
0004049961.tif 000003
【図３】
0004049961.tif 000004
【図４】
0004049961.tif 000005
【図５】
0004049961.tif 000006